【手続補正書】
【提出日】平成21年2月10日(2009.2.10)
【手続補正１】
【補正対象書類名】特許請求の範囲
【補正対象項目名】全文
【補正方法】変更
【補正の内容】
【特許請求の範囲】
【請求項１】
ＲＡＷデータを外部装置へネットワークを介して送信する送信手段と、
前記外部装置において、前記ＲＡＷデータに対して第１のモードおよび第２のモードで実行された画像再現処理結果の差分データを、前記外部装置から受信する受信手段と、
前記ＲＡＷデータに対して第１のモードで画像再現処理を実行する第１の処理手段と、
前記第１の処理手段により実行された前記第１のモードでの画像再現処理の結果と、前記受信手段により受信された差分データとを合わせることにより、前記第２のモードでの画像再現処理の結果を表示する表示手段とを備えたことを特徴とする画像処理装置。
【請求項２】
前記第１のモードの画像再現処理は偽色緩和処理を含まず、前記第２のモードの画像再現処理は前記偽色緩和処理を含むことを特徴とする請求項１に記載の画像処理装置。
【請求項３】
前記送信手段はさらに、画像再現処理に必要なパラメータを前記外部装置へ送信することを特徴とする請求項１または２に記載の画像処理装置。
【請求項４】
前記送信手段は、前記ＲＡＷデータの画像再現処理を実行するための指示を受けると、前記ＲＡＷデータを前記外部装置へ送信することを特徴とする請求項１乃至３のいずれか１項に記載の画像処理装置。
【請求項５】
ネットワークを介して互いに通信可能な第１の画像処理装置及び第２の画像処理装置を含む複数の画像処理装置を有する画像処理システムであって、
前記第１の画像処理装置は、ＲＡＷデータを前記第２の画像処理装置へ前記ネットワークを介して送信する第１の送信手段と、
前記ＲＡＷデータに対して第１のモードで画像再現処理を実行する第１の処理手段と、
前記ＲＡＷデータに対して、前記第１のモードおよび第２のモードで画像再現処理を実行した結果をそれぞれ表示する表示手段とを備え、
第２の画像処理装置は、前記送信手段により送信されたＲＡＷデータに対して前記第１のモードおよび第２のモードで画像再現処理を実行する第２の処理手段と、
前記第２の処理手段により前記第１のモードおよび前記第２のモードで実行された画像再現処理の結果の差分データを前記第１の画像処理装置へ送信する第２の送信手段とを備え、
前記表示手段は、前記第１の処理手段により実行された前記第１のモードでの画像再現処理の結果と前記第２の送信手段により送信された差分データとを合わせることにより、前記第２のモードでの画像再現処理の結果を表示することを特徴とする画像処理システム。
【請求項６】
前記第１のモードの画像再現処理は偽色緩和処理を含まず、前記第２のモードの画像再現処理は前記偽色緩和処理を含むことを特徴とする請求項５に記載の画像処理システム。
【請求項７】
前記送信手段はさらに、画像再現処理に必要なパラメータを前記第２の画像処理装置へ送信することを特徴とする請求項５または６に記載の画像処理システム。
【請求項８】
前記送信手段は、ＲＡＷデータの画像再現処理を実行するための指示を受けると、前記ＲＡＷデータを前記第２の画像処理装置へ送信することを特徴とする請求項５乃至７のいずれか１項に記載の画像処理システム。
【請求項９】
コンピュータに、ＲＡＷデータを外部装置へネットワークを介して送信するステップと、
前記外部装置において、前記ＲＡＷデータに対して第１のモードおよび第２のモードで実行された画像再現処理結果の差分データを、前記外部装置から受信するステップと、
前記ＲＡＷデータに対して第１のモードで画像再現処理を実行するステップと、
前記実行された前記第１のモードでの画像再現処理の結果と前記受信された差分データとを合わせることにより、前記第２のモードでの画像再現処理の結果を表示するステップとを実行させることを特徴とするプログラム。
【請求項１０】
ネットワークを介してＲＡＷデータを外部装置へ送信するステップと、
前記ＲＡＷデータに対して、第１のモードおよび第２のモードで画像再現処理を実行し、前記第１のモードおよび前記第２のモードで実行された画像再現処理の結果の差分データを前記外部装置から受信するステップと、
前記ＲＡＷデータに対して第１のモードで画像再現処理を実行するステップと、
前記実行された前記第１のモードでの画像再現処理の結果と前記受信された差分データとを合わせることにより、前記第２のモードでの画像再現処理の結果を表示するステップとを備えたことを特徴とする画像処理装置の制御方法。
【手続補正２】
【補正対象書類名】明細書
【補正対象項目名】発明の名称
【補正方法】変更
【補正の内容】
【発明の名称】画像処理装置、画像処理システム及び画像処理装置の制御方法
【手続補正３】
【補正対象書類名】明細書
【補正対象項目名】０００１
【補正方法】変更
【補正の内容】
【０００１】
本発明は画像処理装置、画像処理システム及び画像処理装置の制御方法に関し、特にデジタルカメラにより撮影して得られたデジタル画像データを複数の画像処理装置を使用した分散処理するシステムに用いて好適な技術に関するものである。
【手続補正４】
【補正対象書類名】明細書
【補正対象項目名】００１３
【補正方法】変更
【補正の内容】
【００１３】
本発明の画像処理装置は、ＲＡＷデータを外部装置へネットワークを介して送信する送信手段と、前記外部装置において、前記ＲＡＷデータに対して第１のモードおよび第２のモードで実行された画像再現処理結果の差分データを、前記外部装置から受信する受信手段と、前記ＲＡＷデータに対して第１のモードで画像再現処理を実行する第１の処理手段と、前記第１の処理手段により実行された前記第１のモードでの画像再現処理の結果と、前記受信手段により受信された差分データとを合わせることにより、前記第２のモードでの画像再現処理の結果を表示する表示手段とを備えたことを特徴とする。
本発明の画像処理システムは、ネットワークを介して互いに通信可能な第１の画像処理装置及び第２の画像処理装置を含む複数の画像処理装置を有する画像処理システムであって、前記第１の画像処理装置は、ＲＡＷデータを前記第２の画像処理装置へ前記ネットワークを介して送信する第１の送信手段と、前記ＲＡＷデータに対して第１のモードで画像再現処理を実行する第１の処理手段と、前記ＲＡＷデータに対して、前記第１のモードおよび第２のモードで画像再現処理を実行した結果をそれぞれ表示する表示手段とを備え、第２の画像処理装置は、前記送信手段により送信されたＲＡＷデータに対して前記第１のモードおよび第２のモードで画像再現処理を実行する第２の処理手段と、前記第２の処理手段により前記第１のモードおよび前記第２のモードで実行された画像再現処理の結果の差分データを前記第１の画像処理装置へ送信する第２の送信手段とを備え、前記表示手段は、前記第１の処理手段により実行された前記第１のモードでの画像再現処理の結果と前記第２の送信手段により送信された差分データとを合わせることにより、前記第２のモードでの画像再現処理の結果を表示することを特徴とする。
【手続補正５】
【補正対象書類名】明細書
【補正対象項目名】００１４
【補正方法】変更
【補正の内容】
【００１４】
本発明の画像処理装置の制御方法は、ネットワークを介してＲＡＷデータを外部装置へ送信するステップと、前記ＲＡＷデータに対して、第１のモードおよび第２のモードで画像再現処理を実行し、前記第１のモードおよび前記第２のモードで実行された画像再現処理の結果の差分データを前記外部装置から受信するステップと、前記ＲＡＷデータに対して第１のモードで画像再現処理を実行するステップと、前記実行された前記第１のモードでの画像再現処理の結果と前記受信された差分データとを合わせることにより、前記第２のモードでの画像再現処理の結果を表示するステップとを備えたことを特徴とする。
【手続補正６】
【補正対象書類名】明細書
【補正対象項目名】００１５
【補正方法】変更
【補正の内容】
【００１５】
本発明のプログラムは、コンピュータに、ＲＡＷデータを外部装置へネットワークを介して送信するステップと、前記外部装置において、前記ＲＡＷデータに対して第１のモードおよび第２のモードで実行された画像再現処理結果の差分データを、前記外部装置から受信するステップと、前記ＲＡＷデータに対して第１のモードで画像再現処理を実行するステップと、前記実行された前記第１のモードでの画像再現処理の結果と前記受信された差分データとを合わせることにより、前記第２のモードでの画像再現処理の結果を表示するステップとを実行させることを特徴とする。